Podtech/llm-jp-corpus-v4-ja_patent huggingface dataset:
(57)【要約】      （修正有）【課題】使用済みマスクを簡単に消毒して再使用するために、何時も清潔なマスクを準備できるマスク消毒装置を提供する。【解決手段】密封状態を保持できるマスクを消毒する容器Ａと、マスク消毒用の薬剤を噴霧する噴霧器と、噴霧された薬剤を乾燥する複数の穴を備えた容器Ｂとからなり、マスクを消毒する容器Ａと噴霧された薬剤を乾燥する容器Ｂとは各々爪部により閉じられる蓋を備え、この爪部と反対の側面に噴霧器３を取り外し可能に固定した。【選択図】図６
0003175220.tif 000002
【実用新案登録請求の範囲】
【請求項１】
密封状態を保持できるマスクを消毒する容器と、マスク消毒用の薬剤を噴霧する噴霧器と、噴霧された薬剤を乾燥する複数の穴を備えた容器とからなり、マスクを消毒する容器と噴霧された薬剤を乾燥する容器とは各々爪部により閉じられる蓋を備え、この爪部と反対の側面に噴霧器を取り外し可能に固定したことを特徴とする呼吸器マスク消毒装置。
【考案の詳細な説明】
【技術分野】
【０００１】
風邪、花粉症対策などで一般人が日常使用する使用済み呼吸気マスクを消毒する装置に関する。
【背景技術】
【０００２】
使用済みのガーゼマスクは洗剤などで洗濯して再使用したり、  使い捨てマスクは廃棄するのが一般的であるが、ウイルスに汚染したマスクを使用し続ける虞もあり、汚染されているか否かの判断が難しい。
【先行技術文献】
【特許文献】
【０００３】
【特許文献１】特許公表２０１０−５０５４９０
【考案の概要】
【考案が解決しようとする課題】
【０００４】
今までは、一般用の呼吸器マスクの消毒については、簡単にしかも効果的に行う装置が無かった。
本発明は、新規な呼吸器マスク消毒装置を提供し、この問題を解決するものである。
ガーゼマスクは洗剤等で洗濯して再使用するが数回使用し廃棄している。
使い捨てマスクはある時間使用した後、廃棄し再使用はしない。
外出などにおいては、マスク使用時に眼鏡が曇ったりした際などに一端取外し、再度使用するが、この時に外気中のウイルス等がマスクに付着して口や鼻を通り感染する虞がある。
特に外出時に消毒した清潔なマスクがあると、適宜取り替えて使用することができ、ウイルスなどの感染予防に寄与する。
【課題を解決するための手段】
【０００５】
本考案の呼吸器マスク消毒装置は、マスクを消毒する容器と、マスク消毒用の薬剤を噴霧する噴霧器と、噴霧された薬剤を乾燥する容器とにより構成される。
これら三つの機能を一つに纏めた装置を用いることにより、アルコールなどの消毒薬を噴霧した後、乾燥を行い、簡潔に一度に多くを消毒し、何時でも清潔なマスクを準備することができる。
【考案の効果】
【０００６】
（１）一般的な呼吸用マスクは風邪予防、ウイルスなどの飛散防止、高齢者のドライマウスなどで使用の頻度が多くなっている。
水で濡らして使用する「濡れマスク」は価格が高く、一度使用し廃棄するには、経費や資源上から問題がある。
消毒することにより清潔なマスクを、何回も使用することができる。
（２）使い捨てマスクとして需要が多い不織布マスクは、外出時に眼鏡の曇りなどから外したり、装着する回数が多く細菌などに汚染する虞がある。
このような場合、消毒済みのマスクを何枚か持参して取り替えることにより、細菌からの感染を少なくすることが期待できる。
（予備のマスクは、ジッパー付きビニール袋に入れて持ち運びすることで清潔さを保てる。この場合消毒薬品を吹き付けておく方法もある）
（３）消毒したマスクは、消毒した器から取り出して部屋のなかでも乾燥が可能であるが、埃を防ぐために乾燥する器で乾燥する。
（４）エタノールなどのアルコール消毒薬も安価でしかも、人体に与える影響は無い。
【図面の簡単な説明】
【０００７】
【図１】本発明にかかるマスクを消毒する容器の正面図である。
【図２】消毒したマスクの薬材を乾燥する容器の正面図である。
【図３】消毒する器並び乾燥する容器の蓋を閉じた状態を示す本装置の側面図である。
【図４】消毒薬を散布する噴霧器が固定された側を示す本装置の側面図である。
【図５】本装置の乾燥する容器側から見た斜視図である。
【図６】本装置の消毒する容器側から見た斜視図である。
【考案を実施するための形態】
【０００８】
以下、本発明を実施するための形態について説明する。
図１はマスクを消毒する容器の正面図、図２は消毒したマスクを乾燥する容器の正面図、図３はマスクを消毒する容器並びに消毒したマスクを乾燥する容器の各蓋を留める爪が形成された側を示す本装置の側面図である。
図１において、マスクを消毒する容器Ａは、ある程度密封可能な箱形の形状の容器であり、この中でウイルスなどを完全に消毒する。
また、図２において、消毒したマスクを乾燥する容器Ｂは、蓋の部分に複数の穴１を設け、消毒薬を蒸発させ自然乾燥を行う容器である。
これらの二つの容器は、図３に示すように、二つの容器の蓋を閉じる爪２を備える。
図４は消毒薬を散布する噴霧器を固定する側を示す本装置の側面図であり、図５は本装置の自然乾燥を行う容器側から見た斜視図であり、図６は本装置のマスクを消毒する容器側から見た斜視図である。
図４及び図６において、消毒の薬品を吹き付ける噴霧器３が支持台５上に、消毒するときに取り外しできるように２箇所をベルト４により固定されている。
各容器の大きさは、使い捨てマスクなどが６枚から１０枚入る程度の厚さとする。
以上のような構造の容器で確実にマスクの消毒と乾燥を行うものである。    
【実施例】
【０００９】
使用したマスクを消毒する容器Ａに入れ、噴霧器３でマスクにアルコールなどの消毒薬を吹き付けて消毒する。
その後、マスクを消毒する容器Ａから取り出し、薬剤を乾燥する容器Ｂに入れてマスクを自然乾燥する。
【符号の説明】
【００１０】
Ａ消毒する容器
Ｂ乾燥する容器
１  穴
２  爪部
３  噴霧器
４  ベルト
５  支持台
【図１】
0003175220.tif 000003
【図２】
0003175220.tif 000004
【図３】
0003175220.tif 000005
【図４】
0003175220.tif 000006
【図５】
0003175220.tif 000007
【図６】
0003175220.tif 000008
(57)【要約】      （修正有）【課題】大きな魚が掛かった場合に、強い力で引っ張られても、ハリスの結び目が釣り針からすっぽ抜けにくい釣り針を提供する。【解決手段】釣り針２は、軸部に弾力性のあるウレタン製のチューブ１を被せており、ハリスを前記チューブの上から巻きつけて結ぶことにより、チューブの弾力性によって、チューブは釣り針軸部に密着するように押し付けられる。よって、チューブの内面は釣り針の軸部に強く密着し、かつチューブ外面はハリスに密着することになる。その結果、チューブを介して釣針とハリスがお互いに強固に固定されることになり、ハリスが強く引っ張られても釣り針からズレにくく、抜けにくくなる。【選択図】図１
0003175217.tif 000002
【実用新案登録請求の範囲】
【請求項１】
釣り針の軸部を弾力性のある素材で出来たチューブで覆った事を特徴とする釣り針。
【考案の詳細な説明】
【技術分野】
【０００１】
本考案は、軸部に結んだハリスをすっぽ抜けにくくする釣り針に関するものである。
【背景技術】
【０００２】
従来の釣り針は、軸部に直接ハリスを巻きつけるように結んでいた。また、結んだハリスをより強く固定できるようにするために、釣り針の軸部に溝を付けたり、凹凸を付けたりしてハリスのズレを防止する釣り針も知られている。
【考案の概要】
【考案が解決しようとする課題】
【０００３】
解決しようとする問題点は、大きな魚が掛かった際に、釣り針に結んだハリスが強い力で引っ張られ、ハリスがすっぽ抜けてしまい、折角、掛けた魚を取り逃がしてしまうことがあった。
【０００４】
ハリスが釣り針に固定される力は、釣り針とハリスの接触面積に比例する。従来の釣り針の軸部に直接ハリスをぐるぐる何回も巻き付ける方法の場合、釣り針もハリスも断面は略円形状の為、ハリスの外周円と釣針軸部の外周円の頂点付近が接しているにすぎず、釣り針とハリスが接触する面積は、見かけの巻き付け面積よりも小さい。その為、強い力で引っ張られるとずれ易かった。
【０００５】
本考案は、釣り針に結んだハリスがずれ難く、すっぽ抜け難くなる釣り針を得ることを目的とする考案である。
【課題を解決するための手段】
【０００６】
大きな魚が掛かった場合などにハリスが釣り針からすっぽ抜けなくする為には、釣針と釣り針の軸に巻き付けたハリスの密着度を上げる必要がある。釣り針に直接ハリスを結ぶ際、ハリスをきつく締めつけて軸部に巻き付けても、ハリスが軸部に密着するように巻き付けることは難しい。
【０００７】
釣り針軸部とハリスの密着度を上げる手段として、釣り針の軸部に弾力性のあるチューブを被せ、ハリスは前記チューブの上から従来と同じように巻き付けて結ぶようにする。
【考案の効果】
【０００８】
本考案の釣り針は、軸部に弾力性のあるチューブを被せており、ハリスを前記チューブの上から巻きつけて結ぶことにより、チューブの弾力性によって、チューブは釣り針軸部に密着するように押し付けられる。よって、チューブの内面は釣り針の軸部に強く密着し、かつチューブ外面はハリスに密着することになる。その結果、チューブを介して釣針とハリスがお互いに強固に固定されることになり、ハリスが強く引っ張られても釣り針からズレにくく、抜けにくくなる。
【図面の簡単な説明】
【０００９】
【図１】図１は本考案を実施した釣り針を示した図。
【図２】図２は本考案釣り針にハリスを結んだ状態を示した図
【考案を実施するための形態】
【００１０】
考案の実施の形態について図面を参照して説明する。図１は釣り針軸部にウレタン製チューブ１を被せた本考案釣り針である。
【００１１】
図２は、ハリス３を釣り針２に巻き結んだ状態を示したものである。ハリスの結び方は、従来の釣り針に直接ハリスを結ぶやり方と同じで良い。同じ結び方で結んでも、本考案釣り針の場合は、結んだハリスの圧力によりウレタン製チューブ１はその弾力により、結んだハリスの形状に沿うように密着する。
【００１２】
その結果、ウレタン製チューブ内面と釣針軸部及びウレタン製チューブ表面とハリスがそれぞれ緻密に密着する。その為、釣り針に直接ハリスを結ぶ場合に比べて、接触している部分の表面積が増える。その結果、釣り針に直接ハリスを結ぶ場合よりもハリスがより強く釣り針に固定できることになる。
【００１３】
釣り針の軸部に被せるチューブの長さは、実際にハリスを巻き結んだ時の巻き長Ａより少し長めにする。チューブの直径は軸部の直径と同じか若干小さ目が望ましい。また、チューブの素材は、柔軟でかつ丈夫なものならなんでも良い。たとえば、ゴムやビニール製のチューブでも同様の効果がある。
【産業上の利用可能性】
【００１４】
請求項１記載の本考案釣り針は、従来の釣り針軸部を柔軟性のあるチューブで覆う事により得られる。また、製造工程はチューブを釣り針の軸部に被せるという簡単な工程が一つ増えるだけなので、従来の釣り針製造工程を変更する必要がない。よって、製造する為の追加の投資が不要であり、コストを掛けずに容易に製造することが出来る。
【００１５】
そして本考案釣り針はシンプルな構成で従来の釣り針を使用した場合と比べてより強固にハリスを結び付けることができる。
【符号の説明】
【００１６】
１    ウレタン製チューブ
２    釣り針
３    ハリス
Ａ    結び長
【図１】
0003175217.tif 000003
【図２】
0003175217.tif 000004
(57)【要約】      （修正有）【課題】片手の不自由な人、又高齢者でも水分等を含むタオルを、手の強い力を必要とせず、容易にタオルを絞ることができる、タオル絞り器を提供する。【解決手段】２枚の板に穴を設けた側壁３を架台１の上部に相対する面に固定し、その側壁の間に２本のローラー４を下段上段と設けた穴に挿入、又上部ローラー回転軸１５にハンドル６を連結、そして水分等の液体を含む、タオルの一方の端部をローラーに挟み込み、ハンドルを操作することで、タオルの液体を絞り出す。【選択図】図４
0003175330.tif 000002
【実用新案登録請求の範囲】
【請求項１】
２枚の板に穴を設けた側壁を架台の上部に相対する面に固定し、その側壁の間に２本のローラを設けた穴に下段上段と重ねて挿入、そして上部ローラー回転軸にハンドルを連結し、水分等の液体を含むタオルの一方の端部をローラーに挟み込みハンドルを操作することで、タオルの液体を絞り出すタオル絞り器。
【考案の詳細な説明】
【技術分野】
【０００１】  本考案は、手の不自由な障害者や高齢者が入浴時でタオルを絞る時などに手助けとなるタオル絞り器。
【背景技術】
【０００２】  タオルの絞れない手の不自由な人は  他人、又は介護人に絞ってもらうか、又充分に絞れないまま使用しているのが実情である。【０００３】  一方近年高齢者や身障者の介護は大きな社会問題となっており、介護人の不足も相俟って、高齢者や障害者ができるだけ自分の身周りのことを自分でできるように、このタオル絞り器が、開発されれば、社会に大きく貢献することができる。
【考案の開示】
【考案が解決しようとする課題】
【０００４】  本考案は、手の不自由な障害者、又力の弱い高齢者でも手の強い力を必要とせず、タオルに含まれた液体を絞り出せるタオル絞り器を、提供するものである。
【課題を解決するための手段】
【０００５】  上記の課題を解決するために、２枚の板に穴を設けた側壁を架台の上部に相対する面に固定し、その側壁の間に２本のローラを下段上段と設けた穴に挿入、又上部ローラ回転軸にハンドルを連結そして、水分等の液体を含むタオルをローラーに挟みハンドルを操作することで、タオルの液体を絞り出すタオル絞り器である。
【考案の効果】
【０００６】  以上説明をしたように、本考案の、タオル絞り器は片手の不自由な人でも、タオルに含まれた液体を充分に絞り出すことができる。【０００７】  本考案は図４、で示すように、このタオル絞り器は、木材、合成樹脂、ラバー、アルミパイプ等で形成し、２枚の板を六角形状に形成した、側壁にたて長の穴を設け、それを枠組架台上部に、相対する面に固定、又設けた穴にラバーを巻いた２本のローラー４、を下部上部２段に挿入  そして上部ローラー回転軸１５、に  ハンドル６、を  連結し、又２枚の側壁上部８、を連結、その上部からローラー回転軸ま  で、穴を貫通させ、その側壁上部に六角ナットを埋め込み、蝶ネジ９、を回転軸のリング５、まで挿入、その蝶ネジを使って、ローラー圧縮の強弱を調整することができる。【０００８】  そこで、水分等の液体を含むタオルの一方の端部を挿入受皿、１０、からローラー４、に挟み込み、ハンドル６、を操作することで液体等の水分が排液降下板１１、をつたって流れ出る、と同時に殆んど水分を、残さずタオルが簾の子の上部に降下してくる。【０００９】  このタオル絞り器の特徴は、片手の不自由な方が入浴時に付属する踏板１２、を押え本体を安定させ使用ができ、又健常者や高齢者でも台所など排水可能な場所で使用することができる。【００１０】  タオル絞り器の素材はアルミ、エンビ、プラスチックでも作成することができる。
【図面の簡単な説明】
【００１１】
【図１】  本考案のタオル絞り器の正面図
【図２】  本考案のタオル絞り器の平面図
【図３】  本考案のタオル絞り器のＡ−Ａ  断面図
【図４】  本考案のタオル絞り器の俯瞰図
【符号の説明】
【００１２】  １  枠組架台
２  簾の子
３  側壁
４  ローラー
５  リング
６  ハンドル
７  ラバー
８  連結板
９  蝶ネジ
１０  受皿
１１  排液降下板
１２  踏板
１３  メクラ板
１４  丁番
１５  回転軸
【図１】
0003175330.tif 000003
【図２】
0003175330.tif 000004
【図３】
0003175330.tif 000005
【図４】
0003175330.tif 000006
(57)【要約】      （修正有）【課題】石鹸で容易に、手早く細かい泡がつくり出せ、洗顔・洗体をより容易にすることができる泡立て洗浄用具を提供する。【解決手段】屈曲する合成樹脂にネットをとりつけた泡立て用具で、ネットが合成樹脂体にとりつけられ固定されているので石鹸をこすりつけやすく、泡が立てやすい。また手でしごくようにして立てた泡をむだなくとる事ができる。【選択図】図１
0003175321.tif 000002
【実用新案登録請求の範囲】
【請求項１】
屈曲する合成樹脂体にネットや布をとりつけた泡立て洗浄用具
【考案の詳細な説明】
【技術分野】
【０００１】本考案は顔および体の皮膚の洗浄用具に使用する用具に関する。
【背景技術】
【０００２】従来の泡立て洗浄用具は、合成樹脂のネットのみで、できているものがある。
【考案の開示】
【考案が解決しようとする課題】
【０００３】従来の合成樹脂のネットのみでできている泡立て洗浄用具はネットが柔らかく、石鹸をこすりつけるのが容易ではない。
【課題を解決するための手段】
【０００４】本考案の屈曲する合成樹脂体にネットや布をとりつけた泡立て洗浄用具を提供する。
【考案の効果】
【０００５】本考案は従来のネットだけのものと違い、ネットが合成樹脂体にとりつけられ固定されているため、石鹸がよりこすりやすく、容易にきめ細かい泡を作り出す事ができる。
【実施例】
【０００６】［図１］が本考案の屈曲する合成樹脂体にネットをとりつけた泡立て洗浄用具
［図２］が本考案のネットに石鹸をこすりつけて泡を立てる
［図３］が本考案の合成樹脂体を屈曲し、立てた泡を手でしごくようにしてとる。
【産業上の利用可能性】
【０００７】本考案により、石鹸で容易に、手早く細かい泡がつくり出せ、洗顔・洗体をより容易にすることができる。
【図面の簡単な説明】
【０００８】
【図１】本考案の泡立て用具
【図２】本考案で泡を立てる使用例
【図３】本考案で立てた泡をとる使用例
【図１】
0003175321.tif 000003
【図２】
0003175321.tif 000004
【図３】
0003175321.tif 000005
(57)【要約】      （修正有）【課題】体に巻きつけた際に、ほとんど痛みを感じることのない褌などの紐を提供する。【解決手段】帯状の布が幅方向の半分以上に亘って４重に折り重ねられ、幅方向両端部が内側に折り込まれている。【選択図】図１
0003175327.tif 000002
【実用新案登録請求の範囲】
【請求項１】
帯状の布が、幅方向の半分以上に亘って四重に折り重ねられ、幅方向の両側部に形成される折り返し部が内側に折り込まれていることを特徴とする紐。
【考案の詳細な説明】
【技術分野】
【０００１】  本考案は、褌など体に巻きつける帯状の紐に関するものである。
【背景技術】
【０００２】  布地で一本の紐を形成する際に、生地を２重に折りたたみ、２つ折り点５２を形成し、紐巾に応じての折り返し点５３を形成し、わずかな幅の折り返し部５４を形成し、紐の断面はほぼ二重構造であった（図４を参照）。
【考案の開示】
【考案を解決しようとする課題】
【０００３】  従来の紐は布地の紐を体に巻きつける際に帯状の紐がねじれて、固さが増すため、紐と接することにより、肌に痛みを感じることとなる。
上記問題に鑑み、本考案では体に巻きつけた際に、ほとんど痛みを感じることのない紐を提供することを目的とする。
【課題を解決するための手段】
【０００４】本考案に係わる紐は、帯状の布が、幅方向の半分以上に亘って四重に折り重ねられ、幅方向の両側部に形成される折り返し部が内側に折り込まれていることを特徴とする。
【考案の効果】
【０００５】本考案によれば、紐の断面を四重にすることにより、厚みが増すので、ねじれが少なくなり、皮膚の痛みが軽減される。
【図面の簡単な説明】
【０００６】
【図１】本考案の実施の形態に係わる紐の断面図である。
【図２】同紐の製造方法を説明するための斜視図である。
【図３】同紐の製造方法を説明するための斜視図である。
【図４】従来の紐の断面図である。
【考案を実施する為の最良の形態】
【０００７】本考案の紐の構造について図１に示す紐の断面図を用いて説明する。紐の断面を四重構造とする為に２つ折り点２を形成し、紐巾に応じての折り返し点３を形成し、紐幅の５０％以上の幅を持つ折り返し部４を形成し、布側部５が内側に折り込まれる。
製造方法の一例で示す。
（１）布の短辺側を２つ折りにし、２つ折り点２を形成する（図２を参照）。
（２）布を開き、形成したい紐巾に応じて、２つ折り点２から折り返し点３を決め、左右      を山折にする。その際に断面を４重構造とするため、折り返し部４の幅を紐幅の５      ０％以上とする（図３を参照）。
（３）２つ折り点２で折りたたみ図１のように断面をえることができる。
【符号の説明】
【０００８】１：紐本体
２：２つ折り点
３：折り返し点
４：折り返し部
５：布側部
【図１】
0003175327.tif 000003
【図２】
0003175327.tif 000004
【図３】
0003175327.tif 000005
【図４】
0003175327.tif 000006
(57)【要約】      （修正有）【課題】使用に際しての強度を保ち、使用していてもそりも曲がりも生じない、しかも装飾的にすぐれた効果を持つ箸を提供する。【解決手段】箸の長手方向全体にわたって、複数のピースを接着固定することで１本の箸を形成するので、曲がり防止、強度アップ、更に優れた装飾性を得ることができる。箸の長手方向全部に渡って複数の素材が現れ、装飾性に富むし、張り合わせたことで箸としての強度も格段に増し、合板の原理に従い曲がりやそりも防止できるなど、箸としての使用に当たりきわめて有用な効果を奏するものである。【選択図】図１
0003175310.tif 000002
【実用新案登録請求の範囲】
【請求項１】
丸や多角形の軸の中心から一定の角度で軸外側に向けて形成した断面三角形状であって、細くなっていく軸先端まで長手方向全体に渡って比例的にこの関係を維持している立体を１ピースとし、その三角形の頂角によって２ピース乃至１０ピースに分け、それぞれのピースに木や竹、プラスチック、或いは金属等の素材を適用してそれぞれを強固に貼り合わせて形成したことを特長とした箸。
【考案の詳細な説明】
【技術分野】
【０００１】  本考案は、食事や調理に使用する箸に関するものである。
【背景技術】
【０００２】  従来、箸の大半は樹木や竹を素材として丹念に削り出され、形を整えて制作されてきたが、昨今ではインジェクション成形で大量に製造が可能なプラスチック製の箸も多く市場に登場してきている。
【先行技術文献】
【特許文献】
【０００３】
【特許文献１】特開２０１０−２５９６２５号「箸」
【特許文献２】特開２０１０−８２１０５号  「竹製箸材及び竹製箸」
【考案の概要】
【考案が解決しようとする課題】
【０００４】  箸の中でも自然素材として手にやさしい木製や竹製のものは、乾燥や湿気などにより使用中にそりが生じたり、使用状態によっては折れたりする破損の問題もあった。またプラスチック製の箸は量産されて価格も手ごろなものが多いが味気ない。【０００５】  特許文献１においては、上部持ち手近辺に貼り合わせた木製部分を構成する箸が示されており、装飾性を高めているが、箸の長手方向全体に貼り合わされてはいない。従って、装飾性が発揮されるのは一部分に限られ、また箸先端近傍のそりや破損の対策に関しては言及されていない。【０００６】  また、特許文献２には、竹同士を先ずは長手方向全体に貼り合わせ、その後箸の形状に削り落していく成形方法を取っているが、要は竹材特有の強い曲がりを防止するための事業に過ぎず、装飾性は全く得られないし、何より竹材以外についての言及はなされていない。【０００７】  従って、使用に際しての強度を保ち、使用していてもそりも曲がりも生じない、しかも装飾的にすぐれた効果を持つ箸の製造が待たれる。
【課題を解決するための手段】
【０００８】  本考案は、長手方向全体にわたって木や竹或いはプラスチックや金属など複数の素材を配し、強度や曲がりを防止し、しかも装飾性に富む１本の箸を提供するものである。詳細には、あらかじめ丸や多角形の軸の中心から一定の角度で軸外側までの断面三角形状であって、細くなっていく軸先端までこの関係を維持している立体を１ピースとして制作する。基本的にその三角形の頂角によって２ピース乃至１０ピースに分け、それぞれのピースにいろいろな素材を適用してそれぞれを貼り合わせ、１つの箸に成形加工するものである。
【考案の効果】
【０００９】  このように構成したので、箸の長手方向全部に渡って複数の素材が現れ、装飾性に富むし、張り合わせたことで箸としての強度も格段に増し、合板の原理に従い曲がりやそりも防止できるなど、箸としての使用に当たりきわめて有用な効果を奏するものである。
【図面の簡単な説明】
【００１０】
【図１】一例として本考案の６角軸の箸を示す図
【図２】一例として本考案の丸軸で２ピース構成の箸を示す図
【考案を実施するための形態】
【００１１】  以下に、図面を参照して、本考案を適用した箸の形態を説明する。
【実施例】
【００１２】  図１は一実施例を示すが、断面６角形の箸１であり、その断面中心から６辺に向けて頂角６０度の３角形が１ａ、１ｂ、１ｃ、１ｄ、１ｅ、１ｆと６つ構成される。このそれぞれの３角形断面を保って箸先端まで比例的に細く加工した６つのピースを貼り合わせることで一つの箸が出来上がる。【００１３】  箸として使用するのに適した外形は上述の６角形はもちろん、丸形や３角形〜５角形、更には８角形が良く知られているが、１０角形までは含めることができる。
従って、一つの箸に貼り合わされるピースの数は２個から１０個程度が好ましく、１１個以上のピースの組み合わせでは装飾性や強度などでやや信頼性が落ちることとなる。【００１４】材質は、唐木（からき）と呼ばれて珍重される紫檀（したん）、黒檀（こくたん）、花櫚（かりん）、鉄刀木（たがやさん）、白檀（びゃくだん）などが固くて強靭、しかも半永久的な耐久力を持ち、肌理のち密さ、油脂感触の出る光沢など、箸に適した素材として最も好ましいが、唐木以外の銘木でも良いし、竹素材でも良い。またアクリルやその他のプラスチック素材でも良く、さらにチタンなどの金属素材でも良い。【００１５】  貼り合わせに際しては、異なった種類の木や竹同士、或いは木や竹とプラスチック、木や竹と金属、プラスチックと金属など、いくつものパターンが可能である。  ただし、木材同士で２ピースの組み合わせは避けたい。なぜならば、そりや曲がりの強い木材とそりや曲がりが少ない木材を貼り合わせると、どうしてもそりや曲がりの強い木材の性質に引っ張られ、結果的にそりや曲がりを生ずる要因となるからである。従って、木材同士の貼り合わせに限っては３ピース以上の貼り合わせが望ましい。【００１６】  接着剤は、木材系の素材同士の貼り合わせには漆が最も好ましく、抗菌性であり耐水性のものであれば使用できる。しかし木工用接着剤として市販されている接着剤の中には耐水性が悪く箸部材の接着には向かないものがあるので注意を要する。アクリルやその他のプラスチック素材や金属の接着にはエポキシ系接着剤が有効であるが、木材の場合と同様に耐水性、抗菌性があり、更に口に入れても安全な成分でなる接着剤であれば良い。【００１７】  図２においては小さめの角度の第一ピース１ｇと大きめの角度の第二ピースを貼り合わせた箸の一例を示しており、たとえば第一ピースはプラスチック、第二ピースは黒檀などの組み合わせも可能であり、プラスチックの豊かな着色性を発揮した装飾性豊かな箸も実現でき、またそれぞれの素材は逆でもよい。
【符号の説明】
【００１８】１    箸
１ａ  第一ピース
１ｂ  第二ピース
１ｃ  第三ピース
１ｄ  第四ピース
１ｅ  第五ピース
１ｆ  第六ピース
１ｇ  ２ピース構成時の第一ピース
１ｈ  ２ピース構成時の第二ピース
【図１】
0003175310.tif 000003
【図２】
0003175310.tif 000004
(57)【要約】      （修正有）【課題】多数のコインを収納出来て、簡単にコインを出し入れ出来るコイン収納引出式ケースを提供する。【解決手段】コイン収納引出式ケースは引出収納室３を設け、引出収納室３の底面には底面円径穴５があいている。【選択図】図２
0003175302.tif 000002
【実用新案登録請求の範囲】
【請求項１】
コイン収納引出式ケースは、各引出し部分に引出し易くするため、指を掛ける半円径の穴を設けるとともに、引出し底面には、コイン本体を指を入れて持ち上げるための円径の穴をあけてあるところを特徴とするコイン収納引出式ケース
【考案の詳細な説明】
【技術分野】
【０００１】  本考案は、コイン収納引出収納室部分に半円径の切り込みを入れ、収納底部分に円径型に穴あけたケースに関するものである。
【背景技術】
【０００２】  従来のコイン収納ケースは、正方形、長方形の箱型で縦、横に間仕切りを入れたものである。
【考案の概要】
【考案が解決しようとする課題】
【０００３】  従来のコイン収納ケースは１列に収納するため、ケース本体が大きくなる。又、コインを取り出す時に指が入らないので、取り出すのに手間と時間がかかる。
【課題を解決するための手段】
【０００４】  本考案は、収納スペースを小さくして階段状に引出式にすることによって、多数のコインが収納出来て、コインを取り出す時も底部分に円径型の穴があいているので、指で持ち上げることにより、簡単にコインが取り出せることにより問題点を解決している。
【考案の効果】
【０００５】  上述の様に、本考案はコイン収納ケースをコンパクトにしてスペースを取らず、コイン本体に傷も付けずに時間的にも簡単にコイン本体を取り出すことが出来る。
【図面の簡単な説明】
【０００６】
【図１】本考案のコイン収納引出式ケースの実施例を示す正面図である。
【図２】コイン収納引出式ケースの引出収納室を取り出した図面である。
【考案を実施するための形態】
【０００７】  本体は、正方形型のケースであり、正面には上下にスライドする開閉板が有り、持ち上げて開けると階段状の引出しに指を掛ける半円径になっている。引出しの中に縦、横に６等分に仕切った部屋にコイン本体を収納する。底部分は円径の穴があいていることで、指で持ち上げることでコイン本体が持ち上がり、取出しが簡単に出来ることになる。
【実施例】
【０００８】  添付図面に従って一実施例を説明する。１は正方形型に形成された収納ケース本体、２は正面の開閉板で上下にスライドする。本体１内に設けた引出し３が階段状になっており、半円径４に指を掛け引出しする。半円径４の引出しの中は、コイン収納できるように６等分部屋に仕切ってある。各部屋毎にコイン本体を収納して、コイン本体を取り出す時に底部分円径型５から指を入れてコイン本体を持ち上げると、コイン本体が浮いた状態になり、取出しが簡単に出来る。
【符号の説明】
【０００９】  １．コイン収納引出式ケース本体
２．上下する開閉板
３．引出収納室
４．半円径穴
５．底部分円径型穴
【図１】
0003175302.tif 000003
【図２】
0003175302.tif 000004
(57)【要約】      （修正有）【課題】一部分又は全部分が曲面で構成された対象とする機器や液晶画面等に貼り付けることができる粘着材付保護フィルムを提供する。【解決手段】粘着材付保護フィルムと粘着層面保護セパレータからなる保護フィルムを、金型等を用いて対象とする機器の外形形状と曲面形状に合わせてプレス後加工し、曲面形成する。【選択図】図１
0003175309.tif 000002
【実用新案登録請求の範囲】
【請求項１】
粘着材付フィルムと粘着層面保護セパレータからなる保護フィルムを金型を用いて対象とする機器の外形形状と曲面形状に合わせてプレス加工で一部分又は全部分を曲面形成した事を特徴とする粘着材付保護フィルム。
【請求項２】
フィルムの外周端部から１０ミリ以内の範囲に粘着材を帯状又は点状に配した粘着材付フィルムと粘着層面保護セパレータからなる保護フィルムを用いた事を特徴とする請求項１の粘着材付保護フィルム。
【考案の詳細な説明】
【技術分野】
【０００１】  本考案は一部分または全部分が曲面で構成された機器や液晶画面等を保護する粘着材付保護フィルムに関するものである。
【背景技術】
【０００２】  従来の技術思想では、一部分または全部分が曲面で構成された機器や液晶画面等を保護する目的で使用者が粘着材付き保護フィルムを貼り付ける場合、該フィルムに切れ込みを設ける事で３次曲面部分を逃げて貼り付ける方法が存在した。
【考案の概要】
【考案が解決しようとする課題】
【０００３】  本考案は、一部分または全部分が曲面で構成された機器や液晶画面等に粘着材付保護フィルムを貼り付けることを課題とする。
【課題を解決するための手段】
【０００４】  本考案は粘着材付保護フィルムと粘着層面保護セパレータからなる保護フィルムを金型等を用いて、対象とする機器や液晶画面等の外形形状と曲面形状に合わせて後加工プレスし曲面形成することで課題を解決する。
【考案の効果】
【０００５】  貼り付け保護する機器や液晶画面等の曲面形状に合わせた粘着材付保護フィルムは保護する面積が増えることからより広範な機器や液晶表示部の保護、又携帯型情報端末の外装部の同時保護により使用者に該端末使用時の安心感を提供することが出来る。
【図面の簡単な説明】
【０００６】
【図１】全部分が曲面で構成された粘着材付保護フィルムの断面図である。
【図２】全部分が曲面で構成された液晶画面等に全部分が曲面で構成された粘着材付保護フィルムを貼り付けた状態の断面図である。
【図３】一部分が曲面で構成された粘着材付保護フィルムの断面図である。
【図４】一部分が曲面で構成された液晶画面等に一部分が曲面で構成された粘着材付保護フィルムを貼り付けた状態の断面図である。
【図５】全部分が３次曲面で構成された粘着材付保護フィルムの俯瞰図である。
【図６】全部分が３次曲面で構成された液晶画面等に全部分が３次曲面で構成された粘着材付保護フィルムを貼り付けた状態の俯瞰図である。
【図７】全部分が曲面で構成され外周部に粘着材を配した保護フィルムの断面図である。
【図８】全部分が曲面で構成された液晶画面等に全部分が曲面で構成され外周部に粘着材を帯状に配した保護フィルムを貼り付けた状態の断面図である。
【図９】一部分が曲面で構成され外周部に帯状に粘着材を配した保護フィルムの断面図である。
【図１０】一部分が曲面で構成された液晶画面等に一部分が曲面で構成され外周部に帯状に粘着材を配した保護フィルムを貼り付けた状態の断面図である。
【図１１】一部分が曲面で構成され外周部に粘着材を帯状に配した保護フィルムの俯瞰図である。
【図１２】一部分が曲面で構成された液晶画面等に一部分が曲面で構成され外周部に帯状に粘着材を配した保護フィルムを貼り付けた状態の俯瞰図である。
【考案を実施するための形態】
【０００７】  粘着材付保護フィルムと粘着層面保護セパレータからなる保護フィルムが、対象とする機器の外形形状と曲面形状に合わせて予め曲面形成されていることで、使用者はセパレータを剥がして貼り付けるだけで容易に対象物を保護することが出来る。
【実施例】
【０００８】  以下、添付図面に基づいて実施例を説明する。図１は粘着材付保護フィルム形状を示す断面図である。１は曲面に形成された粘着材付保護フィルム、２は粘着材、３はセパレータである。図２は該フィルムを対象となる機器に貼り付けた状態の断面図である。図３は端部が曲面に形成された粘着材付保護フィルムの断面図である。図４は該フィルムを対象となる機器に貼り付けた状態の断面図である。従来は保護フィルムを曲面に形成するという考えは存在せず、延伸性を持つフィルムを曲面に沿って伸ばして貼り付けていた。図５は曲面に形成されたフィルム形状を示す俯瞰図である。図６は該フィルムを貼り付ける対象となる機器の俯瞰図である。該フィルムは貼り付ける対象となる機器の曲面にほぼ合わせて曲面形成される。【０００９】  図７は曲面に形成され端部にのみ帯状粘着層１０を設けた粘着材付保護フィルムの形状を示す断面図である。１１はセパレータである。図８は該フィルムを対象となる機器に貼り付けた状態の断面図である。機器４とフィルム９は端部の帯状粘着層１０のみで固定される。図９は端部が曲面に形成され端部にのみ帯状粘着層を設けた粘着材付保護フィルムの形状を示す断面図である。１２ａはフィルムの平面部分、１２ｂは曲面に形成された端部を示す。１２ｃは平面と曲面の境界を示す。図１０は該フィルム１２を対象となる機器８に貼り付けた状態の断面図である。【００１０】  図１１は平面部分の割合が多く端部が曲面に形成され端部にのみ帯状粘着層１３を設けた粘着材付保護フィルムの形状を示す俯瞰図である。１２ｃはフィルムの平面部分の輪郭を示し、１２ｄは操作ボタンの開口を示す。図１２は機器８にフィルム１２を貼り付けた状態の俯瞰図である。
【符号の説明】
【００１１】１曲面に形成された粘着材付保護フィルム
２粘着層
３セパレータ
４対象となる機器
１２平面部分と曲面形成された部分からなる粘着材付保護フィルム
１３端部の帯状粘着層
【図１】
0003175309.tif 000003
【図２】
0003175309.tif 000004
【図３】
0003175309.tif 000005
【図４】
0003175309.tif 000006
【図５】
0003175309.tif 000007
【図６】
0003175309.tif 000008
【図７】
0003175309.tif 000009
【図８】
0003175309.tif 000010
【図９】
0003175309.tif 000011
【図１０】
0003175309.tif 000012
【図１１】
0003175309.tif 000013
【図１２】
0003175309.tif 000014
(57)【要約】      （修正有）【課題】自転車走行中の風圧抵抗を無くし自転車搭乗者に合わせ自由に視野範囲を変えられかつ固定でき、風圧、振動、接触によるずれを無くし、自転車操作に支障を期さない自転車ハンドルバーエンド取り付けバックミラーを提供する。【解決手段】ハンドルバー５に差し込んだエンドキャップ２の凸Ｒ球面が、凸曲面鏡３を保持したハウジング１の凹Ｒ球面にはまり合い、エンドキャップ２の長穴に沿って、上下に可動し又軸Ａを基準として、回転可動することにより、合わせて３次元的視野調節が自転車搭乗者に合わせて可能となり、ネジ４により締め付固定することにより、振動接触の際のずれを防ぐ。【選択図】図２
0003175303.tif 000002
【実用新案登録請求の範囲】
【請求項１】
凸曲面鏡（３）を保持したハウジング（１）の凹Ｒ球面にエンドキャップ（２）の凸Ｒ球面がはまり合う組み合わせにより、３次元的に視野を調節しネジ（４）により視野範囲を固定できるハンドルバーエンド取り付けバックミラー。
【考案の詳細な説明】
【考案の概要】
自転車のドロップハンドルバーエンドに装着し、視野範囲の調節ができ、調節後位置を固定出来るバックミラー
【考案が解決しようとする課題】自転車の安全走行にバックミラー搭載が不可欠なものであるが、
従来の自転車ハンドルバーに取り付けられる、バックミラーは大きく、風の抵抗があり、自転車操作中に身体の一部が触れたり、樹木や建造物、すれ違いの人、及び自転車と接触し危険な状況を誘発し、また振動により走行中に視野がずれる不具合がありスポーツサイクルクなどでの使用頻度が少なかった。
【課題を解決するための手段】考案のバックミラーは取り付け位置をハンドルバーエンドに装着し、ハンドル外径より大きくはみ出さない大きさにして、風圧抵抗を無くし、視野範囲調整機構を現在の大きな蝶番形や、ボウル状ジョイントを採用せず、コンパクトな機構にして視野範囲を調整後、固定出来る形とした。
この考案は上記の課題を解決できる構造にしたものである。
【考案の効果】この考案により風圧抵抗が無くなり走行の妨げにならず、ハンドルよりも大きく飛び脱さない為接触の危険がなくなり、視野範囲の調節も出来かつ固定できる為、走行中に視野範囲がずれることが、無くなった為自転車走行の安全性が高まった。
【図面の簡単な説明】
【図１】ハンドルバーエンドに取り付けられたバックミラーの斜視図
【図２】バッククミラーの締め付け固定前の断面図
【図３】エンドキャップ２のＢ矢視図
【符号の説明】１  ハウジング
２  エンドキャップ
３  凸曲面鏡
４  ネジ
５  ドロップハンドルバー
６  エンドキャップ長穴
【図１】
0003175303.tif 000003
【図２】
0003175303.tif 000004
【図３】
0003175303.tif 000005
(57)【要約】      （修正有）【課題】各個人専用で顔にフィットした、継続使用可能な、気密性の良いマスクを提供する。【解決手段】繰り返し使用可能な、丈夫な素材により、長期にわたり使用することのできる外部の構造素材とし、内部には本来機能であるフィルターｂを備えた二重構造とする。内部フィルターを面ファスナーｄにて装着し、内部フィルターのみ使い捨てとする。更にフィルター周囲には気密性を良くするためシリコーン系素材ｃを施し、接着効果を上げ、又使い捨てとすることができるマスクにも、内部側、空気吸引用、鼻、口の、接触する部分周囲に気密性を良くするためシリコーン系素材を施し気密性、接着効果を上げて、マスクを形成する。【選択図】図２
0003175308.tif 000002
【実用新案登録請求の範囲】
【請求項１】
従来使用されている、マスクを２層構造とし外部側に、色々な大きさ、素材や、デザインを、個人専用の形状のある顔面、表情、に合わせて製作された、マスク。
【請求項２】
上記記載の、外部マスク内部にもう１層、専用の取り替え可能で、使い捨てとすることができるフィルターを、備えた、請求項１記載の、マスク。
【請求項３】
上記記載の、内部の、フィルター周囲の肌との接触部分に、悪い空気の侵入を、防ぐことを、目的とする、シリコン系素材を施した、請求項１，２記載の、マスク。
【請求項４】
上記記載の、フィルターと、本体マスク内部側とを、マジックテープにて装着することのできる、マジックテープを備えた、請求項１〜３記載の、マスク。
【請求項５】
上記記載の、マスク本体の、鼻、口を含む空気吸引のための周囲内に、一定ピッチに孔を有する、請求項１〜４記載の、マスク。
【請求項６】
フィルター部分のない、従来使用されている、全て使い捨てとすることができるマスク本体内部にも、鼻、口を含む空気吸引のための周囲に、悪い空気の侵入を、防ぎ、気密性を保つ目的とする、シリコン系素材を施した機能を備えた、請求項１〜５記載の、マスク。
【請求項７】
従来使用されている、全て使い捨てとすることができるマスク本体内部と、フィルター内部側部分にて、悪い空気の侵入を、防ぐことを、目的とする、シリコン系素材の鼻部分を、シリコン接着面積の拡張部分により、接着効果を増やす目的である、請求項１〜６記載の、マスク。
【考案の詳細な説明】
【技術分野】
【０００１】  マスクのサイズがフィットしない、隙間があり、フィットしない。
【背景技術】
【０００２】  サイズがフィットし、隙間の少ない、マスクを、使用したい。【０００３】
【先行技術文献】
【特許文献】
【０００４】
【特許文献１】特開２００４−３５６６３０
【考案の概要】
【考案が解決しようとする課題】
【０００５】  フィットする個人専用形状で、ウィルス・花粉、などの侵入をとめ、気密性が良い、安価なマスクがほしい。
【課題を解決するための手段】
【０００６】  外部の見える本体部分を、本皮・布・ビニール・紙製など、色々製作することができ、自分の、サイズにあった既製品とし、又２層構造として通常のマスク本体と、内部の外部マスク内側の鼻、口周り覆う、肌との接触する部分に、フィルターを備えた構造で、内部のフィルターのみ交換することができる構造とすることで、ゴミも少なくし、又フィルター（不織布等）周りの肌に接触する部分に、シリコン系素材を施すことで気密性を保ち、害のある空気の侵入を、なるべく少なくできる。又従来使用されている使い捨てとすることができるマスク本体内部そのものの肌に接触する部分周囲にも、気密性を、保つための、シリコン系素材を、備えた、マスクもある。
【考案の効果】  個性があり、サイズがフィットし気密性に富んだ、マスク。
【図面の簡単な説明】
【０００７】
【図１】正面よりのマスクの使用状況の説明図である。
【図２】マスクの使用状況の断面図である。
【図３】シリコン系素材の付いた内部フィルターを、内部側より見た、姿図である。又従来使用されている使い捨てとすることができるマスク内部側にも、そのまま同様なシリコン系素材の付いたものもあるものとする。
【考案を実施するための形態】
【０００８】  色々の大きさ、種類からなるサンプルのマスクより選択でき、内部のフィルター周りの、シリコン系素材を付けることで、フィットし、害のある空気の侵入を、なるべく少なくできる。
【符号の説明】
【０００９】ａ，色々の大きさ、種類からなる外部マスク、空気吸引用、孔あり
ｂ，周囲にシリコン系素材を付けた、フィルター（不織布等）
ｃ，気密性を保つシリコン系素材
ｄ，マスク本体と、フィルター部分を、引っ付ける、マジックテープ
ｅ，鼻部分、シリコン接着面積、拡張変形部分
【図１】
0003175308.tif 000003
【図２】
0003175308.tif 000004
【図３】
0003175308.tif 000005
(57)【要約】      （修正有）【課題】水流を利用して空気を自吸し、元の水流と混合する気水混合器を提供する。【解決手段】流動管の途中に、水流縮流テーパーノズル管１と水流解放流テーパーノズル管２とを設けることにより、水流の受け渡し部４にて発する吸引力を利用し空気を自吸して元の水流に混合せしめる。【選択図】図１
0003175306.tif 000002
【実用新案登録請求の範囲】
【請求項１】
流動管の途中に、水流縮流テーパーノズル管と、水流解放流テーパーノズル管とを配設し、水流の受け渡し部の外周管に吸気用の孔を穿ち、当該の水流の受け渡し部にて発する吸引力により空気を自吸し、元の水流と混合せしめることを特徴とした気水混合器。
【考案の詳細な説明】
【技術分野】
【０００１】本考案は、空気を自吸する、気水混合器に関するものである。
【背景技術】
【０００２】一般のシャワーホースの中間に、水流縮流テーパーノズル管と水流解放流テーパーノズル管及び吸気用の孔とにより構成される気水混合器を挿入することにより、シャワーの水中に気泡を混入せしめるものである。
【考案の概要】
【考案が解決しようとする課題】
【０００３】従来ある一部の泡シャワーは、何れもシャワーの吐出口先端部において、噴出する水流で空気を巻き込む構造であり、水中では発泡しない。
【課題を解決するための手段】
【０００４】本考案は、流れる水の中に空気を吸い込み混合すべくなされたもので、水流を利用し水流縮流テーパーノズル管と水流解放流テーパーノズル管及び吸気用の孔とにより、水流の変化により生ずる負圧を利用し空気を吸引せしめ水と混合するものである。
【考案の効果】
【０００５】シャワホース内を流れる水流を利用し、水流縮流テーパーノズル管により水を加速し水流解放テーパーノズル管で元の水流に戻すときに、受け渡し部で発する負圧を利用し、吸気用の孔より空気を吸い込み水流中に混合せしめるものである。
【図面の簡単な説明】
【０００６】
【図１】本考案の断面図
【図２】使用参考例図
【考案を実施するための最良の形態】
【０００７】一般のシャワーは、シャワーホースの先端部にシャワーヘッドを取付け、只単に温水または水を噴射せしめるもので、中には噴流を細く絞りマッサージに利用する例もあり、また特殊な例としては噴流を利用し空気を巻き込む泡シャワーと称するものがあるが所詮ホースを流れる液体は温水または水のみであり、水中での発泡作用はあり得ない。
本考案の気水混合器はシャワーホースの中間に、水流縮流テーパーノズル管と水流解放流テーパーノズル管及び吸気用の孔とにより構成されたもので、水流の変化により生ずる負圧を利用し空気を吸引せしめ水流に混合するものである。
テストの一例では、口径約１ｃｍの気水混合器で、水圧約１ｋｇ／ｃｍ、水量約７０ｃｃ／秒、吸気量約７０ｃｃ／秒、吐出量約１４０ｃｃ／秒であった。
【符号の説明】
【０００８】１、水流縮流テーパーノズル管
２、水流解放流テーパーノズル管
３、吸引用の孔
４、受け渡し部
５、流動管
６、調節弁
７、気水混合器
８、シャワープレート
９、ジャグジープレート
【図１】
0003175306.tif 000003
【図２】
0003175306.tif 000004
(57)【要約】【課題】ツキ板の強度ならびに断熱性・不燃性を向上させ、かつ、現場施工作業の利便性を向上できるツキ板シートを提供する。【解決手段】天然木を薄くスライスしたツキ板１と、アルミ箔３の両面全面に接着剤層を介して和紙（２，４）で挟んだものを積層し、接着剤で圧着させる。両面全面を和紙で挟んだアルミ箔を用いて、ツキ板の強度ならびに断熱性・不燃性を向上させる。アルミ箔３の厚さは強度の観点から０．０２５〜０．１ｍｍとする。ツキ板の厚みは０．１４〜０．３ｍｍとし、ツキ板シート全体の厚みが０．５ｍｍ以下とする。【選択図】図２
0003175398.tif 000002
【実用新案登録請求の範囲】
【請求項１】
天然木を薄くスライスしたツキ板と、
アルミ箔の両面全面に接着剤層を介して和紙で挟んだものと、
を積層し、
接着剤で圧着させたことを特徴とするツキ板シート。
【請求項２】
前記アルミ箔の厚みは、０．０２５〜０．１ｍｍである、
ことを特徴とする請求項１に記載のツキ板シート。
【請求項３】
前記ツキ板の厚みが０．１４〜０．３ｍｍであり、
前記ツキ板シート全体の厚みが０．５ｍｍ以下である、
ことを特徴とする請求項１又は２に記載のツキ板シート。
【考案の詳細な説明】
【技術分野】
【０００１】
本考案は、建築材として用いるツキ板シートの構造に関するものである。
【背景技術】
【０００２】
ツキ板は天然木材を薄くスライスしたもので、そのままの状態では簡単に裂けたり割れたりする。従来から、天然木本来の良さを活かすために、ベニヤ板に貼って、天然木化粧ベニヤとして、家具や壁などに使われていた（例えば特許文献１を参照）。この従来から知られている天然木化粧ベニヤでは、強度を向上させるために、ツキ板の裏側の面に不織布や和紙などの裏打ち材が接着剤層を介して積層されていた。昨今の市場において、薄く漉かれた和紙（１層の和紙）と厚みの薄いツキ板を貼り合わせて強化し、ハサミやカッターで簡単にカットできる化粧用の天然木シートあるいはツキ板シートが販売されている。
【先行技術文献】
【特許文献】
【０００３】
【特許文献１】実開昭６１−７４４３３号公報
【考案の概要】
【考案が解決しようとする課題】
【０００４】
従来のツキ板シートの場合、シートの厚みが薄いために強度が十分とは言えなかった。また、強度を持たせるために、ツキ板や裏打ち材の厚みを厚くしたものは、ハサミやカッターで簡単にカットし難く、現場施工作業の利便性が十分でなかった。
また、従来のツキ板シートの場合、断熱性能や不燃性能に難点があった。
上記状況に鑑みて、本考案は、ツキ板の強度ならびに断熱性・不燃性を向上させ、かつ、現場施工作業の利便性を向上できるツキ板シートを提供することを目的とする。
【課題を解決するための手段】
【０００５】
上記目的を達成すべく、本考案のツキ板シートは、天然木を薄くスライスしたツキ板と、アルミ箔の両面全面に接着剤層を介して和紙で挟んだものを積層し、接着剤で圧着させた構成を備える。
本考案では、両面全面を和紙で挟んだアルミ箔を用いて、ツキ板の強度ならびに断熱性・不燃性を向上させるものである。ＪＩＳ規格では、アルミ箔は、厚さ０．００６ｍｍ〜０．２ｍｍのアルミニウム圧延素材と定義されている。本考案のツキ板シートの場合、アルミ箔の現場でのサイズ加工作業の利便性と強度の観点から０．０２５〜０．１ｍｍとするのが好ましい。０．１ｍｍより厚さがあるものは、ハサミやカッターで簡単にカットし難く、現場施工作業の利便性が損なわれる。
【０００６】
また、本考案のツキ板シートでは、アルミ箔の両面全面に和紙を設ける。和紙の場合、接着剤を塗布した場合に、接着剤を十分に含浸・保持することができるからである。これにより現場施工作業の利便性を向上できる。
【０００７】
また、上記のツキ板シートにおける和紙には、予め接着剤を含浸させ、その表面をラッピング加工することにより、現場での接着剤の塗布作業を省くことが可能であり、現場施工作業の利便性を向上できる。
【０００８】
また、上記のツキ板シートでは、ツキ板の厚みが０．１４〜０．３ｍｍであり、ツキ板シート全体の厚みが０．５ｍｍ以下であることが更に好ましい。
ツキ板自体の厚み、並びにツキ板シートの厚みは、自由に設計することが可能であるが、より好ましくは、アルミ箔の厚さを０．０２５〜０．１ｍｍの範囲に設計し、さらにツキ板の厚みを０．１４〜０．３ｍｍの範囲に設計し、和紙の厚みを含めてツキ板シート全体の厚みが０．５ｍｍ以下にする。
なお、ツキ板シートの長さは３０ｃｍ〜４ｍであり、シートの幅は９５ｃｍ以下とする。現場施工作業の利便性から、上記の範囲で設計するのである。
【考案の効果】
【０００９】
本考案によれば、アルミ箔を用いることからツキ板の強度ならびに断熱性や不燃性を向上でき、また、ハサミやカッターで簡単にカットすることができることから現場施工作業の利便性を向上できるといった効果を有する。
【図面の簡単な説明】
【００１０】
【図１】ツキ板シートの説明図
【図２】本考案のツキ板シートの断面構造図
【考案を実施するための最良の形態】
【００１１】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１２】
図１は、本考案のツキ板シートの説明図であり、図２は、図１の符号Ａの部分、すなわち、本考案のツキ板シートの断面構造図を示している。
本考案のツキ板シートは、図１に示すように、厚みが薄く柔軟性があり、小さな曲率で曲げることができるので、ロール状に巻き取りできるものである。
図１のツキ板シートは、例えば、幅９０ｃｍで長さ４ｍ、厚さが０．５ｍｍのものである。
【００１３】
本考案のツキ板シートは、図２に示すように、天然木を薄くスライスしたツキ板１と、アルミ箔３の両面全面に接着剤層を介して和紙（２，４）で挟んだものを積層した断面構造を成す。ツキ板１と、両面全面を和紙（２，４）で挟んだアルミ箔３とを、接着剤を用いて圧着させる。
ツキ板１の厚さは０．１８ｍｍ、アルミ箔３の厚さは０．０２５ｍｍ、和紙５の厚さは０．０８ｍｍとした場合、ツキ板シート全体の厚さは０．３６５ｍｍ（＝０．１８＋０．０２５＋０．０８×２）となる。
なお、接着剤は市販のものを使用すればよい。
【産業上の利用可能性】
【００１４】
本考案は、住宅の壁紙、フローリング材、家具・机・天井・階段・室内ドアなどの表面材に有用である。
【符号の説明】
【００１５】
１  ツキ板
２，４  和紙
３  アルミ箔
【図１】
0003175398.tif 000003
【図２】
0003175398.tif 000004